(57)【特許請求の範囲】
【請求項１】
胴部と，この胴部の左右に一体に設けられた腕部と，前記胴部の下部に一体に設けられた左右の脚部とを有し，全体として袋状に形成された寝袋であって，
前記胴部の胸部に左右一対の胸ポケットを設けるとともに，この左右一対の胸ポケットの外側部において前記胴部に，寝袋内に摘みを有するファスナーをそれぞれ設け、
前記左右のファスナーは、それぞれ２つのスライダーを有していて前記脚部の下端近くから，前記胸ポケットの外側部までに亘って設けられている１本のファスナーで構成することを特徴とする寝袋。
【発明の詳細な説明】
【技術分野】
【０００１】
本発明は，寝袋に関する。特に人形（ひとがた）の寝袋に関するものである。
【背景技術】
【０００２】
従来，人形の寝袋として，例えば特許文献１に見られるような寝袋が知られている。同文献の符号を借りて説明すると，この寝袋は，胴部（１）と，この胴部（１）の左右に一体に設けられた腕部（３）（３）と，前記胴部（１）の下部に一体に設けられた左右の脚部（４）（４）とを有し，全体として袋状に形成されている。
このような人形の寝袋によると，就寝中に腕や脚を自由に動かすことができるとともに，緊急時等には，寝袋内に入ったまま歩行することもできる。
【先行技術文献】
【特許文献】
【０００３】
【特許文献１】実公平６−４９２６４号公報
【発明の概要】
【発明が解決しようとする課題】
【０００４】
上述した従来の寝袋では，胸ポケットが設けられていなかったため，必ずしも使い勝手がよいとは言えなかった。
したがって，本発明が解決しようとする課題は，胸ポケットがあって使い勝手の良い寝袋を提供することである。
【課題を解決するための手段】
【０００５】
上記課題を解決するために，本発明の寝袋は，胴部と，この胴部の左右に一体に設けられた腕部と，前記胴部の下部に一体に設けられた左右の脚部とを有し，全体として袋状に形成された寝袋であって，
前記胴部の胸部に左右一対の胸ポケットを設けるとともに，この左右一対の胸ポケットの外側部において前記胴部に，寝袋内に摘みを有するファスナーをそれぞれ設け、
前記左右のファスナーは、それぞれ２つのスライダーを有していて前記脚部の下端近くから，前記胸ポケットの外側部までに亘って設けられている１本のファスナーで構成することを特徴とする。
この寝袋は，人形の寝袋であるから，就寝中に腕や脚を自由に動かすことができるとともに，緊急時等には，寝袋内に入ったまま歩行することもできる。
そして，この寝袋によれば，胴部の胸部に左右一対の胸ポケットが設けられているので，この胸ポケットに必要な物品を入れておくことができる。また，胸ポケット内の物品を出し入れする際には，胸ポケットの外側部において胴部に設けられているファスナーを，寝袋内でスライダーの摘みを操作して開け，その開口から手を出して物品の出し入れを行うことができるので，必要最小限の開口で出し入れすることができる。したがって，寝袋内の暖気を極力損なわないようにしながら胸ポケットの物品を出し入れすることができる。
以上のようにこの寝袋によれば，胸ポケットがあって使い勝手が向上し，しかも，暖気も損なわれにくいという効果が得られる。
【図面の簡単な説明】
【０００６】
【図１】本発明に係る寝袋の一実施の形態を示す正面図。
【図２】同じく背面図。
【発明を実施するための形態】
【０００７】
以下，本発明に係る寝袋の実施の形態について図面を参照して説明する。
図１，図２に示すように，この寝袋１０は，胴部１１と，この胴部１１の左右に一体に設けられた腕部１２，１２と，前記胴部１１の下部に一体に設けられた左右の脚部１３，１３とを有し，全体として袋状に形成された寝袋である。
寝袋１０の全体形状および素材自体は，公知の人形形状および素材を採用することができる。
【０００８】
この実施の形態では，胴部１１の上部に，一体に頭部を１４をフード状に設け，使用者の顔を出すことができる開口１５を設けてある。
開口１５には，その縁部に沿って，紐１６を通す筒状部（例えば袋縫いによる筒状部）１７を設け，その筒状部１７に紐１６を通してある。開口１５の大きさは，紐１６を絞ることで調整することができる。
【０００９】
胴部１１の表側の中央部には，上下方向に延び，上端が前記開口１５に連なるセンターファスナー２０が設けられている。センターファスナー２０は，２つのスライダー２１，２１を備えており，上下いずれの方向からでも開閉できるようになっている。また，各スライダー２１は，寝袋の表側に配置された表側摘み２２と，寝袋の内側（寝袋内）に配置された内側摘み２３とを備えており，寝袋の外側からでも内側からでもスライダーを操作してファスナーを開閉することができるようになっている。
【００１０】
胴部１１の胸部には，左右一対の胸ポケット１８，１８が設けられているとともに，この左右一対の胸ポケット１８，１８の外側部において胴部１１に，サイドファスナー３０，３０がそれぞれ設けられている。各サイドファスナー３０は，２つのスライダー３１，３１を備えており，上下いずれの方向からでも開閉できるようになっている。また，各スライダー３１は，寝袋の表側に配置された表側摘み３２と，寝袋の内側（寝袋内）に配置された内側摘み３３とを備えており，寝袋の外側からでも内側からでもスライダーを操作してファスナーを開閉することができるようになっている。
【００１１】
このような寝袋１０は，人形の寝袋であるから，就寝中に腕や脚を腕部１２，脚部１３に入れた状態で自由に動かすことができるとともに，緊急時等には，寝袋内に入ったまま歩行することもできる。
そして，この寝袋１０によれば，胴部１１の胸部に左右一対の胸ポケット１８，１８が設けられているので，この胸ポケット１８，１８に必要な物品を入れておくことができる。また，胸ポケット１８，１８（例えば右側の胸ポケット１８）内の物品を出し入れする際には，胸ポケット１８，１８の外側部において胴部に設けられているファスナー３０，３０（例えば右側のファスナー３０）を，寝袋内でスライダーの摘み３３を操作して開け，その開口３４から手を出して物品の出し入れを行うことができるので，必要最小限の開口３４で行うことができる。したがって，寝袋１０内の暖気を極力損なわないようにすることができる。
以上のようにこの寝袋１０によれば，胸ポケット１８，１８があって使い勝手が向上し，しかも，暖気も損なわれにくいという効果が得られる。
【００１２】
なお，寝袋１０への出入りは，センターファスナー２０を開いた状態で容易に行うことができる。
この実施の形態のサイドファスナー３０は，脚部１３の下端近くから，胸ポケット１８のの外側部までに亘って設けられているので，上述したように上端部（３４）を開くことで，その開口３４を通じて胸ポケット１８内の物を出し入れすることができるだけでなく，寝袋１０内が暑いときには，開口３４を大きくして熱気が逃げやすくすることもできる。また，サイドファスナー３０の下部を開くことで，その開口３５から足を出すこともできる。
【００１３】
腕部１２，１２の先端部分には，半円弧状のファスナー４０，４０が設けられている。各ファスナー４０は，スライダー４１を備えており，各スライダー４１は，寝袋の表側に配置された表側摘み４２と，寝袋の内側（寝袋内）に配置された内側摘み４３とを備えており，寝袋の外側からでも内側からでもスライダーを操作してファスナー４０を開閉することができるようになっている。したがって，使用者は，ファスナー４０を開くことにより，その開口４４から手を出すことができる。
【００１４】
以上，本発明の実施の形態について説明したが，本発明は上記の実施の形態に限定されるものではなく，本発明の要旨の範囲内において適宜変形実施可能である。
【符号の説明】
【００１５】
１０    寝袋
１１    胴部
１２    腕部
１３    脚部
１８    胸ポケット
３０    サイドファスナー（ファスナー）
３３    内側摘み（摘み）
【図１】
0005832160.tif 000002
【図２】
0005832160.tif 000003